(57)【要約】【課題】デジタルビデオカメラの磁気テープから記録媒体にダビング記録している際中にケーブルが抜けた場合でも、再びケーブルを接続し直すと、記録が中断された続きから再びダビング記録を開始できる情報記録再生装置を提供する。【解決手段】ダビング記録中にケーブルが抜けた時、一時停止された時の記録時間が一時停止記録時間として、映像音声情報が一時停止映像音声情報としてメモリに格納される。ケーブルが再び接続された時に、その時点までに計時された時間を示す再接続経過時間と一時停止記録時間との差により、ケーブルの遮断時間が算出される。遮断時間に基づいて磁気テープを一時停止位置まで巻き戻す動作が行われる。磁気テープが一時停止位置まで巻き戻された後、再生された映像音声情報のデータパターンが一時停止映像音声情報のデータパターンと一致すると判定された時、この時の磁気テープの位置からダビング記録が再開される。【選択図】図２
2007280470.tif 000002
【特許請求の範囲】
【請求項１】
撮像手段により撮像された映像情報および音声入力手段により入力された音声情報を磁気テープに記録すると共に磁気テープに記録された映像音声情報を再生するデジタルビデオカメラとケーブルを介して接続可能であって、前記デジタルビデオカメラから再生された映像音声情報を記録媒体に記録できると共に記録媒体に記録された映像音声情報を再生できるように構成された情報記録再生装置において、
前記デジタルビデオカメラから出力された映像音声情報を前記記録媒体に記録するダビング記録が開始した時に、記録時間を計時するタイマを初期設定して計時動作を開始させるタイマ制御手段と、
前記タイマが動作開始した時の初期時間をメモリに格納させる初期時間格納手段と、
前記デジタルビデオカメラからの映像音声情報をダビング記録中に、前記ケーブルの接続が遮断されたか否かを判定するケーブル接続判定手段と、
前記ケーブルの接続が遮断されたと判定された時に、前記ダビング記録を一時停止させるダビング一時停止手段と、
前記ダビング記録が一時停止された時の前記タイマにより計時されている記録時間を一時停止記録時間として前記メモリに格納すると共に、一時停止された時の映像音声情報を一時停止映像音声情報として前記メモリに格納する一時停止記録時間・映像音声情報格納手段と、
前記ダビング記録が一時停止された後、前記ケーブルが再び接続されることにより、前記ケーブル接続判定手段により前記ケーブルが接続されたと判定された時に、前記ケーブルが接続された時点までに計時された前記タイマの時間を示す再接続経過時間と前記一時停止記録時間との差により前記ケーブルの遮断時間を算出するケーブル遮断時間算出手段と、
前記遮断時間に基づいて前記デジタルビデオカメラの磁気テープを前記一時停止位置まで巻き戻す動作を行わせる巻き戻し制御手段と、
前記磁気テープが前記一時停止位置まで巻き戻された後、磁気テープを再生動作させ、再生された映像音声情報のデータパターンが前記一時停止映像音声情報のデータパターンと一致するか否かを判定するデータパターン判定手段と、
前記再生された映像音声情報のデータパターンが前記一時停止映像音声情報のデータパターンと一致すると判定した時に、この時の磁気テープの位置からダビング記録を再開させるダビング再開制御手段と、を有するシステムコントローラを備えたことを特徴とする情報記録再生装置。
【請求項２】
撮像手段により撮像された映像情報および音声入力手段により入力された音声情報を磁気テープに記録すると共に磁気テープに記録された映像音声情報を再生するデジタルビデオカメラとケーブルを介して接続可能であって、前記デジタルビデオカメラから再生された映像音声情報を記録媒体に記録できると共に記録媒体に記録された映像音声情報を再生できるように構成された情報記録再生装置において、
前記デジタルビデオカメラから出力された映像音声情報を前記記録媒体に記録するダビング記録が行われている際中に、前記ケーブルの接続が遮断された時、ダビング記録を一時停止させ、この時の記録時間を一時停止記録時間としてメモリに格納すると共に、この時の映像音声情報を一時停止映像音声情報として前記メモリに格納し、この後、前記ケーブルが再び接続され時に、前記ケーブルが接続された時点までに計時された時間を示す再接続経過時間と前記一時停止記録時間との差により前記ケーブルの遮断時間を算出し、この遮断時間に基づいて前記磁気テープを前記一時停止位置まで巻き戻す動作を前記デジタルビデオカメラに対して行い、前記磁気テープが前記一時停止位置まで巻き戻された後、前記磁気テープを再生動作させ、再生された映像音声情報のデータパターンが前記一時停止映像音声情報のデータパターンと一致すると判定した時に、この時の前記磁気テープの位置からダビング記録を再開させる制御を行うシステムコントローラを備えたことを特徴とする情報記録再生装置。
【請求項３】
前記システムコントローラは、前記デジタルビデオカメラから出力された映像音声情報を前記記録媒体に記録するダビング記録が開始した時に、記録時間を計時するタイマを初期設定して計時動作を開始させるタイマ制御手段と、前記タイマが動作開始した時の初期時間をメモリに格納させる初期時間格納手段と、前記デジタルビデオカメラからの映像音声情報をダビング記録中に、前記ケーブルの接続が遮断されたか否かを判定するケーブル接続判定手段と、前記ケーブルの接続が遮断されたと判定された時に、前記ダビング記録を一時停止させるダビング一時停止手段と、前記ダビング記録が一時停止された時の前記タイマにより計時されている記録時間を一時停止記録時間として前記メモリに格納すると共に、一時停止された時の映像音声情報を一時停止映像音声情報として前記メモリに格納する一時停止記録時間・映像音声情報格納手段と、前記ダビング記録が一時停止された後、前記ケーブルが再び接続されることにより、前記ケーブル接続判定手段により前記ケーブルが接続されたと判定された時に、前記ケーブルが接続された時点までに計時された前記タイマの時間を示す再接続経過時間と前記一時停止記録時間との差により前記ケーブルの遮断時間を算出するケーブル遮断時間算出手段と、前記遮断時間に基づいて前記デジタルビデオカメラの磁気テープを前記一時停止位置まで巻き戻す動作を行わせる巻き戻し制御手段と、前記磁気テープが前記一時停止位置まで巻き戻された後、前記磁気テープを再生動作させ、再生された映像音声情報のデータパターンが前記一時停止映像音声情報のデータパターンと一致するか否かを判定するデータパターン判定手段と、前記再生された映像音声情報のデータパターンが前記一時停止映像音声情報のデータパターンと一致すると判定した時に、この時の前記磁気テープの位置からダビング記録を再開させるダビング再開制御手段とを有することを特徴とする請求項２に記載の情報記録再生装置。
【発明の詳細な説明】
【技術分野】
【０００１】
本発明は、撮像された映像情報および入力された音声情報を磁気テープに記録すると共に磁気テープに記録された映像音声情報を再生するデジタルビデオカメラとケーブルを介して接続可能であって、デジタルビデオカメラから再生された映像音声情報を記録媒体に記録できると共に記録媒体に記録された映像音声情報を再生できるように構成された情報記録再生装置に関し、特に、磁気テープに記録された映像音声情報を記録媒体にダビング記録している際中に、ケーブルの接続が遮断された場合の処理と、再びケーブルが接続された場合の処理に関する。
【背景技術】
【０００２】
従来から知られているように、物体や人物などを撮像して、この撮像した映像情報、およびマイクで得た音声情報を磁気テープに記録し、また、磁気テープに記録した映像情報および音声情報を再生して、テレビ受信機などのディスプレイ装置に映像を表示させると共にスピーカなどから音声を出力させることが可能な構成を有するデジタルビデオカメラが普及している。
【０００３】
ところで、このようなデジタルビデオカメラにセットされた磁気テープに記録された映像音声情報を、情報記録再生装置によりハードディスクや光ディスクなどの記録媒体にダビング記録したい場合がある。この場合、デジタルビデオカメラのデジタル入出力端子を、例えば、ＩＥＥＥ（Institute of Electrical and Electronics Engineers）１３９４ケーブルを介して、情報記録再生装置のデジタル入出力端子に接続し、デジタルビデオカメラを再生モードに設定すると共に情報記録再生装置を記録モードに設定することによって、磁気テープに記録されている映像音声情報を再生し、この再生した映像音声情報を情報記録再生装置に送ることにより、記録媒体には磁気テープに記録されている映像音声情報が記録される。
【特許文献１】特開２００１−１６７５１６号公報
【特許文献２】特開２００１−７６４２４号公報
【発明の開示】
【発明が解決しようとする課題】
【０００４】
このようにしてデジタルビデオカメラの磁気テープに記録されている映像音声情報を、情報記録再生装置の記録媒体に記録するダビング記録が行われるが、ダビング記録の際中にケーブルが何らかの原因で、デジタルビデオカメラのデジタル入出力端子または／および情報記録再生装置のデジタル入出力端子から抜けた場合は、ダビング記録が中断されることになる。このようにダビング記録が中断されるが、情報記録再生装置では、ケーブルが抜けたことを検知すると、自動的に記録を停止または一時停止するようになっている。なお、情報記録再生装置によっては、ケーブルが抜けても、そのまま記録動作を続行するものもあるが、この場合、記録媒体の領域を無駄に使用することになるので、好ましくない。
【０００５】
しかしながら、前記のように情報記録再生装置側では、ケーブルが抜けたことを検知すると、自動的に記録を停止または一時停止するようになっているが、デジタルビデオカメラ側では、ケーブルが抜けても、そのまま再生動作を続行していくので、再び、ケーブルを接続してダビング記録を再開する場合、ケーブルが抜けてダビング記録ができなくなった時点の磁気テープの再生位置（ケーブルが抜けた時点の磁気テープの再生位置）を探す必要がある。この場合、ユーザは、情報記録再生装置を操作して、記録媒体には、どこまでの内容がダビング記録されているかを調べるために、再生操作あるいは早戻し操作や早送り操作などを何回も繰り返すような操作を行う必要があり、ユーザにとっては操作が煩わしいという課題があった。また、どこまでの内容が記録媒体にダビング記録されているかを調べるのが面倒である場合には、もう一度初めからダビング記録を行うことになるが、情報記録再生装置における記録媒体の記録領域を無駄に使用することになるという課題も生じる。
【０００６】
なお、特許文献１の従来技術は、ネットワークに複数のＶＣＲなどの情報処理装置（情報記録再生装置）を接続し、情報処理装置間でダビング記録を行うものであり、デジタルビデオカメラの映像音声情報をハードディスクレコーダやＤＶＤレコーダなどの情報記録再生装置にダビング記録する処理については開示されていない。また、ダビング記録中にネットワークから離脱した情報処理装置の再接続が行われると、フラッシュＲＯＭに保持したダビングタイマ値に基づきテープを巻き戻して、ダビング記録を再開しているが、テープを巻き戻して停止した位置が必ずしも、ダビング記録の再開位置になるとは限らない。それは、ダビング記録の再開位置は、フラッシュＲＯＭに保持されているダビングタイマ値に基づいて決定されるが、テープの回転の慣性力も加わると、テープを巻き戻して停止した位置がダビング記録の再開位置と一致しない場合がある。したがって、テープを巻き戻して停止した位置がダビング記録の再開位置と一致しない場合があると、再開したダビング記録は前回にダビング記録した情報に、正確に引き続いた情報を記録できないという課題が生じる。
【０００７】
特許文献２の従来技術は、ミニディスクなどの記録媒体の複製を作成するデータ記録装置に関するものであり、デジタルビデオカメラにセットされた磁気テープに記録された映像音声情報をハードディスクレコーダやＤＶＤレコーダなどの情報記録再生装置の記録媒体にダビング記録する処理については開示されていない。
【０００８】
本発明は、上記のような課題を解決するためになされたもので、デジタルビデオカメラにセットされた磁気テープに記録された映像音声情報を記録媒体にダビング記録している際中にケーブルが抜けた場合でも、再びケーブルを接続し直すと、記録が中断された続きから再びダビング記録を開始することができるようにする情報記録再生装置を提供することを目的とする。
【課題を解決するための手段】
【０００９】
上記目的を達成するために、請求項１の発明は、撮像手段により撮像された映像情報および音声入力手段により入力された音声情報を磁気テープに記録すると共に磁気テープに記録された映像音声情報を再生するデジタルビデオカメラとケーブルを介して接続可能であって、前記デジタルビデオカメラから再生された映像音声情報を記録媒体に記録できると共に記録媒体に記録された映像音声情報を再生できるように構成された情報記録再生装置において、前記デジタルビデオカメラから出力された映像音声情報を前記記録媒体に記録するダビング記録が開始した時に、記録時間を計時するタイマを初期設定して計時動作を開始させるタイマ制御手段と、前記タイマが動作開始した時の初期時間を前記メモリに格納させる初期時間格納手段と、前記デジタルビデオカメラからの映像音声情報をダビング記録中に、前記ケーブルの接続が遮断されたか否かを判定するケーブル接続判定手段と、前記ケーブルの接続が遮断されたと判定された時に、前記ダビング記録を一時停止させるダビング一時停止手段と、前記ダビング記録が一時停止された時の前記タイマにより計時されている記録時間を一時停止記録時間として前記メモリに格納すると共に、一時停止された時の映像音声情報を一時停止映像音声情報として前記メモリに格納する一時停止記録時間・映像音声情報格納手段と、前記ダビング記録が一時停止された後、前記ケーブルが再び接続されることにより、前記ケーブル接続判定手段により前記ケーブルが接続されたと判定された時に、前記ケーブルが接続された時点までに計時された前記タイマの時間を示す再接続経過時間と前記一時停止記録時間との差により前記ケーブルの遮断時間を算出するケーブル遮断時間算出手段と、前記遮断時間に基づいて前記デジタルビデオカメラの磁気テープを前記一時停止位置まで巻き戻す動作を行わせる巻き戻し制御手段と、前記磁気テープが前記一時停止位置まで巻き戻された後、磁気テープを再生動作させ、再生された映像音声情報のデータパターンが前記一時停止映像音声情報のデータパターンと一致するか否かを判定するデータパターン判定手段と、前記再生された映像音声情報のデータパターンが前記一時停止映像音声情報のデータパターンと一致すると判定した時に、この時の磁気テープの位置からダビング記録を再開させるダビング再開制御手段と、を有するシステムコントローラを備えたことを特徴とする情報記録再生装置を提供する。
【００１０】
この構成において、ダビング記録が開始した時に、タイマ制御手段は、タイマを初期設定して、即ち、タイマの計時内容を０秒に設定して、計時動作を開始させる。また、初期時間格納手段は、タイマが動作開始した時の初期時間（０秒）をメモリに格納する。この後、ダビング記録が行われている際中に、ケーブル接続判定手段は、ケーブルの接続が遮断されたか否かを判定する。ケーブルの接続が遮断されたと判定された時は、ダビング一時停止手段は、ダビング記録を一時停止させる。なお、情報記録再生装置で記録動作が停止して、ダビング記録が一時停止しても、デジタルビデオカメラでは、再生動作が行われている。
【００１１】
このようにしてダビング記録が一時停止された時に、一時停止記録時間・映像音声情報格納手段は、ダビング記録が一時停止された時のタイマにより計時されている記録時間を一時停止記録時間としてメモリに格納すると共に、一時停止された時の映像音声情報を一時停止映像音声情報としてメモリに格納する。この後、ユーザによりケーブルがデジタルビデオカメラと情報記録再生装置間に接続されると、ケーブル接続判定手段は、ケーブルが再び接続されたと判定する。
【００１２】
次に、ケーブル遮断時間算出手段は、ケーブルが接続された時点までに計時されたタイマの時間を示す再接続経過時間と、メモリから読み出した一時停止記録時間とを取得し、再接続経過時間と一時停止記録時間との差によりケーブルの遮断時間を算出する。この後、巻き戻し制御手段は、前記遮断時間に基づいてデジタルビデオカメラの磁気テープを一時停止位置まで巻き戻す動作をデジタルビデオカメラに対して行わせる。
【００１３】
このようにして磁気テープが一時停止位置まで巻き戻された後、データパターン判定手段は、磁気テープを再生動作させ、再生された映像音声情報のデータパターンが一時停止映像音声情報のデータパターンと一致するか否かを判定する。両者が一致しない場合は、目標とするダビング開始位置まで磁気テープを巻き戻して再生する制御を行い、両者が一致した場合は、ダビング再開制御手段は、そのダビング開始位置からダビング記録を開始させる。
【００１４】
この構成によれば、デジタルビデオカメラの磁気テープに記録された映像音声情報を記録媒体にダビング記録している際中にケーブルが抜けた場合でも、再びケーブルを接続し直すと、記録が中断された続きから再びダビング記録を開始することができるので、従来のように、情報記録再生装置を操作して、記録媒体には、どこまでの内容がダビング記録されているかを調べるために、再生操作あるいは早戻し操作や早送り操作などを行う必要がなくなり、使い勝手が向上する。また、記録媒体の記録領域を無駄に使用することなく、記録媒体を有効に使用することができる。また、ダビング記録の再開位置に磁気テープを巻き戻して停止しする際のテープの回転の慣性力が加わって、停止位置がずれても、再生された映像音声情報のデータパターンと一時停止映像音声情報のデータパターンとが一致するまで、ダビング開始位置を補正することができるので、正確なダビング開始位置を得ることができ、これにより、前回に引き続き行われるダビング記録による映像および音声が正確に繋がることになる。
【００１５】
請求項２の発明は、撮像手段により撮像された映像情報および音声入力手段により入力された音声情報を磁気テープに記録すると共に磁気テープに記録された映像音声情報を再生するデジタルビデオカメラとケーブルを介して接続可能であって、前記デジタルビデオカメラから再生された映像音声情報を記録媒体に記録できると共に記録媒体に記録された映像音声情報を再生できるように構成された情報記録再生装置において、前記デジタルビデオカメラから出力された映像音声情報を前記記録媒体に記録するダビング記録が行われている際中に、前記ケーブルの接続が遮断された時に、ダビング記録を一時停止させ、この時の記録時間を一時停止記録時間としてメモリに格納すると共に、この時の映像音声情報を一時停止映像音声情報として前記メモリに格納し、この後、前記ケーブルが再び接続され時に、前記ケーブルが接続された時点までに計時された時間を示す再接続経過時間と前記一時停止記録時間との差により前記ケーブルの遮断時間を算出し、この遮断時間に基づいて前記磁気テープを前記一時停止位置まで巻き戻す動作を前記デジタルビデオカメラに対して行い、前記磁気テープが前記一時停止位置まで巻き戻された後、前記磁気テープを再生動作させ、再生された映像音声情報のデータパターンが前記一時停止映像音声情報のデータパターンと一致すると判定した時に、この時の前記磁気テープの位置からダビング記録を再開させる制御を行うシステムコントローラを備えたことを特徴とする情報記録再生装置を提供する。
【００１６】
この構成において、デジタルビデオカメラから出力された映像音声情報を記録媒体に記録するダビング記録が行われている際中に、前記ケーブルの接続が遮断された時、ダビング記録が一時停止され、この時の記録時間が一時停止記録時間としてメモリに格納されると共に、この時の映像音声情報が一時停止映像音声情報としてメモリに格納される。この後、ケーブルが再び接続され時に、前記ケーブルが接続された時点までに計時された時間を示す再接続経過時間と、前記一時停止記録時間との差により、ケーブルの遮断時間が算出される。そして、この遮断時間に基づいて磁気テープを前記一時停止位置まで巻き戻す動作を前記デジタルビデオカメラに対して行われる。磁気テープが前記一時停止位置まで巻き戻された後、磁気テープが再生動作され、再生された映像音声情報のデータパターンが前記一時停止映像音声情報のデータパターンと一致すると判定された時に、この時の磁気テープの位置からダビング記録が再開される。
【００１７】
この構成によれば、デジタルビデオカメラの磁気テープに記録された映像音声情報を記録媒体にダビング記録している際中にケーブルが抜けた場合でも、再びケーブルを接続し直すと、記録が中断された続きから再びダビング記録を開始することができるので、従来のように、情報記録再生装置を操作して、記録媒体には、どこまでの内容がダビング記録されているかを調べるために、再生操作あるいは早戻し操作や早送り操作などを行う必要がなくなり、使い勝手が向上する。また、記録媒体の記録領域を無駄に使用することなく、記録媒体を有効に使用することができる。また、ダビング記録の再開位置に磁気テープを巻き戻して停止しする際のテープの回転の慣性力が加わって、停止位置がずれても、再生された映像音声情報のデータパターンと一時停止映像音声情報のデータパターンとが一致するまで、ダビング開始位置を補正することができるので、正確なダビング開始位置を得ることができ、これにより、前回に引き続き行われるダビング記録による映像および音声が正確に繋がることになる。
【００１８】
請求項３の発明では、請求項２の発明において、前記システムコントローラは、前記デジタルビデオカメラから出力された映像音声情報を前記記録媒体に記録するダビング記録が開始した時に、記録時間を計時するタイマを初期設定して計時動作を開始させるタイマ制御手段と、前記タイマが動作開始した時の初期時間をメモリに格納させる初期時間格納手段と、前記デジタルビデオカメラからの映像音声情報をダビング記録中に、前記ケーブルの接続が遮断されたか否かを判定するケーブル接続判定手段と、前記ケーブルの接続が遮断されたと判定された時に、前記ダビング記録を一時停止させるダビング一時停止手段と、前記ダビング記録が一時停止された時の前記タイマにより計時されている記録時間を一時停止記録時間として前記メモリに格納すると共に、一時停止された時の映像音声情報を一時停止映像音声情報として前記メモリに格納する一時停止記録時間・映像音声情報格納手段と、前記ダビング記録が一時停止された後、前記ケーブルが再び接続されることにより、前記ケーブル接続判定手段により前記ケーブルが接続されたと判定された時に、前記ケーブルが接続された時点までに計時された前記タイマの時間を示す再接続経過時間と前記一時停止記録時間との差により前記ケーブルの遮断時間を算出するケーブル遮断時間算出手段と、前記遮断時間に基づいて前記デジタルビデオカメラの磁気テープを前記一時停止位置まで巻き戻す動作を行わせる巻き戻し制御手段と、前記磁気テープが前記一時停止位置まで巻き戻された後、磁気テープを再生動作させ、再生された映像音声情報のデータパターンが前記一時停止映像音声情報のデータパターンと一致するか否かを判定するデータパターン判定手段と、前記再生された映像音声情報のデータパターンが前記一時停止映像音声情報のデータパターンと一致すると判定した時に、この時の前記磁気テープの位置からダビング記録を再開させるダビング再開制御手段とを有する。
【００１９】
したがって、前記システムコントローラは、タイマ制御処理、初期時間格処理、ケーブル接続判定処理、ダビング一時停止処理、一時停止記録時間・映像音声情報格納処理、ケーブル遮断時間算出処理、巻き戻し制御処理、データパターン判定処理、およびダビング再開制御処理を実現でき、これにより、デジタルビデオカメラの磁気テープに記録された映像音声情報を記録媒体にダビング記録している際中にケーブルが抜けた場合でも、再びケーブルを接続し直すと、記録が中断された続きから再びダビング記録を開始させることが可能になる。
【発明の効果】
【００２０】
以上のように本発明によれば、デジタルビデオカメラから出力された映像音声情報を前記記録媒体に記録するダビング記録が開始した時に、記録時間を計時するタイマを初期設定して計時動作を開始させるタイマ制御手段と、前記タイマが動作開始した時の初期時間を前記メモリに格納させる初期時間格納手段と、前記デジタルビデオカメラからの映像音声情報をダビング記録中に、前記ケーブルの接続が遮断されたか否かを判定するケーブル接続判定手段と、前記ケーブルの接続が遮断されたと判定された時に、前記ダビング記録を一時停止させるダビング一時停止手段と、前記ダビング記録が一時停止された時の前記タイマにより計時されている記録時間を一時停止記録時間として前記メモリに格納すると共に、一時停止された時の映像音声情報を一時停止映像音声情報として前記メモリに格納する一時停止記録時間・映像音声情報格納手段と、前記ダビング記録が一時停止された後、前記ケーブルが再び接続されることにより、前記ケーブル接続判定手段により前記ケーブルが接続されたと判定された時に、前記ケーブルが接続された時点までに計時された前記タイマの時間を示す再接続経過時間と前記一時停止記録時間との差により前記ケーブルの遮断時間を算出するケーブル遮断時間算出手段と、前記遮断時間に基づいて前記デジタルビデオカメラの磁気テープを前記一時停止位置まで巻き戻す動作を行わせる巻き戻し制御手段と、前記磁気テープが前記一時停止位置まで巻き戻された後、磁気テープを再生動作させ、再生された映像音声情報のデータパターンが前記一時停止映像音声情報のデータパターンと一致するか否かを判定するデータパターン判定手段と、前記再生された映像音声情報のデータパターンが前記一時停止映像音声情報のデータパターンと一致すると判定した時に、この時の磁気テープの位置からダビング記録を再開させるダビング再開制御手段とを有するシステムコントローラを備えたので、デジタルビデオカメラの磁気テープに記録された映像音声情報を記録媒体にダビング記録している際中にケーブルが抜けた場合でも、再びケーブルを接続し直すと、記録が中断された続きから再びダビング記録を開始することができ、従来のように、情報記録再生装置を操作して、記録媒体には、どこまでの内容がダビング記録されているかを調べるために、再生操作あるいは早戻し操作や早送り操作などを行う必要がなくなり、使い勝手が向上する。また、記録媒体の記録領域を無駄に使用することなく、記録媒体を有効に使用することができる。また、ダビング記録の再開位置に磁気テープを巻き戻して停止しする際のテープの回転の慣性力が加わって、停止位置がずれても、再生された映像音声情報のデータパターンと一時停止映像音声情報のデータパターンとが一致するまで、ダビング開始位置を補正することができるので、正確なダビング開始位置を得ることができ、これにより、前回に引き続き行われるダビング記録による映像および音声が正確に繋がることになる。
【００２１】
また、発明によれば、デジタルビデオカメラから出力された映像音声情報を前記記録媒体に記録するダビング記録が行われている際中に、前記ケーブルの接続が遮断された時に、ダビング記録を一時停止させ、この時の記録時間を一時停止記録時間としてメモリに格納すると共に、この時の映像音声情報を一時停止映像音声情報として前記メモリに格納し、この後、前記ケーブルが再び接続され時に、前記ケーブルが接続された時点までに計時された時間を示す再接続経過時間と、前記一時停止記録時間との差により前記ケーブルの遮断時間を算出し、この遮断時間に基づいて前記磁気テープを前記一時停止位置まで巻き戻す動作を前記デジタルビデオカメラに対して行い、前記磁気テープが前記一時停止位置まで巻き戻された後、磁気テープを再生動作させ、再生された映像音声情報のデータパターンが前記一時停止映像音声情報のデータパターンと一致すると判定した時に、この時の磁気テープの位置からダビング記録を再開させる制御を行うシステムコントローラを備えたので、デジタルビデオカメラの磁気テープに記録された映像音声情報を記録媒体にダビング記録している際中にケーブルが抜けた場合でも、再びケーブルを接続し直すと、記録が中断された続きから再びダビング記録を開始することができ、従来のように、情報記録再生装置を操作して、記録媒体には、どこまでの内容がダビング記録されているかを調べるために、再生操作あるいは早戻し操作や早送り操作などを行う必要がなくなり、使い勝手が向上する。また、記録媒体の記録領域を無駄に使用することなく、記録媒体を有効に使用することができる。また、ダビング記録の再開位置に磁気テープを巻き戻して停止しする際のテープの回転の慣性力が加わって、停止位置がずれても、再生された映像音声情報のデータパターンと一時停止映像音声情報のデータパターンとが一致するまで、ダビング開始位置を補正することができるので、正確なダビング開始位置を得ることができ、これにより、前回に引き続き行われるダビング記録による映像および音声が正確に繋がることになる。
【発明を実施するための最良の形態】
【００２２】
以下、添付図面を参照しつつ、本発明の実施の形態について説明する。図１は本発明の一実施形態に係る情報記録再生装置とデジタルビデオカメラとの構成を示すブロック図である。
【００２３】
図１において、デジタルビデオカメラＡと情報記録再生装置Ｂとは、例えば、通信ケーブルであるＩＥＥＥ（Institute of Electrical and Electronics Engineers）１３９４ケーブルＬにより接続され、デジタルビデオカメラＡで撮像された映像および入力された音声を情報記録再生装置Ｂにおいてダビング記録することが可能になっている。即ち、デジタルビデオカメラＡのデジタル入出力端子ａと情報記録再生装置Ｂのデジタル入出力端子ｂとがＩＥＥＥ１３９４ケーブルＬにより接続され、デジタルビデオカメラＡにおいて磁気テープ９に記録された映像音声データ（映像音声情報）を情報記録再生装置Ｂにおける記録媒体１７にダビング記録することが可能になっている。なお、記録媒体１７としては、情報記録再生装置Ｂがハードディスクレコーダである場合は、ハードディスクであり、情報記録再生装置ＢがＤＶＤレコーダである場合は、ＤＶＤである。したがって、本実施形態の情報記録再生装置Ｂは、ハードディスクレコーダ、ＤＶＤレコーダのどちらであっても良い。
【００２４】
デジタルビデオカメラＡは、物体を撮影するための撮影レンズ１と、この撮影レンズ１で撮影した映像を電気信号に変換するＣＣＤなどの撮像素子２と、撮像素子２の出力信号を所定形式の映像信号に変換する映像信号処理回路３と、音声を入力するマイク４と、このマイク４から出力される音声信号を増幅するマイクアンプ５と、このマイクアンプ５からの音声信号を所定形式の音声信号に変換する音声信号処理回路６と、映像信号処理回路３からの映像信号を入力してデジタル映像データに変換すると共に音声信号処理回路６からの音声信号を入力してデジタル音声データに変換して映像音声データとして磁気テープ９に記録したり、磁気テープ９に記録された映像音声データを再生したりする磁気テープ記録再生部７と、記録時や再生時あるいは巻戻し時や早送り時に磁気テープ９を走行させる磁気テープ駆動機構８と、磁気テープ記録再生部７で再生された映像音声データを情報記録再生装置Ｂに送信させたり、情報記録再生装置Ｂからの制御信号を受信したりする送受信回路１０と、この送受信回路１０とＩＥＥＥ１３９４ケーブルＬとの間のＩＥＥＥ１３９４のインターフェイス１１と、複数の操作キーを有する操作部１２と、カメラ全体を制御するシステムコントローラ１３とを備えている。
【００２５】
情報記録再生装置Ｂは、ＩＥＥＥ１３９４ケーブルＬと接続するためのデジタル入出力端子ｂを介して接続され、デジタルビデオカメラＡからの映像音声データを受信したり、デジタルビデオカメラＡに制御信号を送信したりする送受信回路１４と、この送受信回路１４で受信したＩＥＥＥ１３９４特有の映像音声データを情報記録再生装置Ｂで扱う通常の映像音声データに変換するデータコンバータ１５と、このデータコンバータ１５からの映像音声データをデコードするデコーダ１６と、記録時にはデコーダ１６からの映像音声データをＭＰＥＧ方式により圧縮して記録媒体１８に記録したり、再生時には記録媒体１８に記録された映像音声データを伸張して再生してモニタ装置Ｃに出力したりする記録再生部１７と、制御に必要なデータを格納するフラッシュＲＯＭなどのメモリ１９と、デジタルビデオカメラＡから出力された映像音声データを記録媒体１８に記録するダビング記録を行っているときに記録時間を計時するタイマ２０と、複数の操作キーを有するリモコンなどを示す操作部２１と、装置全体を制御するシステムコントローラ２２とを備えている。
【００２６】
特に、システムコントローラ２２は、本実施形態の特徴として、デジタルビデオカメラＡから出力された映像音声データを記録媒体１８に記録するダビング記録が開始した時に、記録時間を計時するタイマ２０を初期設定して計時動作を開始させるタイマ制御手段と、タイマ２０が動作開始した時の初期時間をメモリ１９に格納させる初期時間格納手段と、デジタルビデオカメラＡからの映像音声情報をダビング記録中に、ＩＥＥＥ１３９４ケーブルＬの接続が遮断されたか否かを判定するケーブル接続判定手段と、ＩＥＥＥ１３９４ケーブルＬの接続が遮断されたと判定された時に、ダビング記録を一時停止させるダビング一時停止手段と、ダビング記録が一時停止された時のタイマ２０により計時されている記録時間を一時停止記録時間としてメモリ１９に格納すると共に、一時停止された時の映像音声データを一時停止映像音声データとしてメモリ１９に格納する一時停止記録時間・映像音声情報格納手段とを有する。
【００２７】
また、システムコントローラ２２は、ダビング記録が一時停止された後、ＩＥＥＥ１３９４ケーブルＬが再び接続されることにより、前記ケーブル接続判定手段によりＩＥＥＥ１３９４ケーブルＬが接続されたと判定された時に、ＩＥＥＥ１３９４ケーブルＬが接続された時点までに計時されたタイマ２０の時間を示す再接続経過時間と前記一時停止記録時間との差によりＩＥＥＥ１３９４ケーブルＬの遮断時間を算出するケーブル遮断時間算出手段と、前記遮断時間に基づいてデジタルビデオカメラＡの磁気テープ９を一時停止位置まで巻き戻す動作を行わせる巻き戻し制御手段と、磁気テープ９が一時停止位置まで巻き戻された後、磁気テープ９を再生動作させ、再生された映像音声データのデータパターンが一時停止映像音声データのデータパターンと一致するか否かを判定するデータパターン判定手段と、前記再生された映像音声データのデータパターンが前記一時停止映像音声情報のデータパターンと一致すると判定した時に、この時の磁気テープ９の位置からダビング記録を再開させるダビング再開制御手段とを有する。
【００２８】
図２は本実施形態においてデジタルビデオカメラからの映像音声データを情報記録再生装置にダビング記録している際中にケーブルの接続が遮断され再びケーブルが接続された場合の処理を説明するためのフローチャートである。このフローチャートおよび図１を参照してデジタルビデオカメラからの映像音声データを情報記録再生装置にダビング記録している際中にケーブルの接続が遮断され再びケーブルが接続された場合の処理について説明する。
【００２９】
デジタルビデオカメラＡにセットされた磁気テープ９に記録されている映像音声データを情報記録再生装置Ｂの記録媒体１８にダビング記録するために、デジタルビデオカメラＡのデジタル入出力端子ａと情報記録再生装置Ｂのデジタル入出力端子ｂとをＩＥＥＥ１３９４ケーブルＬによって接続する。そして、情報記録再生装置Ｂの操作部２１を操作して、デジタルビデオカメラＡを再生動作させると共に、情報記録再生装置Ｂを記録動作させる。即ち、デジタルビデオカメラＡの磁気テープ９に記録されている映像音声データを情報記録再生装置Ｂの記録媒体１８にダビング記録させるようなダビングモードに設定するためのキー操作を操作部２１により行うと、情報記録再生装置Ｂのシステムコントローラ２２は、記録再生部１７を記録モードに設定すると共に、ダビングモード信号を送受信回路１４を介してＩＥＥＥ１３９４ケーブルＬに送信し、デジタルビデオカメラＡのシステムコントローラ１３は、インターフェイス１１および送受信回路１０を介してダビングモード信号を入力して、磁気テープ記録再生部７を再生モードに設定する。
【００３０】
これにより、ダビング記録が開始した時に、システムコントローラ２２のタイマ制御手段は、タイマ２０を初期設定して、即ち、タイマ２０の計時内容を０秒に設定して、計時動作を開始させる（ステップＳ１）。また、システムコントローラ２２の初期時間格納手段は、タイマ２０が動作開始した時の初期時間（０秒）をメモリ１９に格納する（ステップＳ２）。この後、ダビング記録が行われている際中に、システムコントローラ２２のケーブル接続判定手段は、ＩＥＥＥ１３９４ケーブルＬが入出力端子ａまたは／および入出力端子ｂから抜けたか否かを判定する（ＩＥＥＥ１３９４ケーブルＬの接続が遮断されたか否かを判定する）（ステップＳ３）。ＩＥＥＥ１３９４ケーブルＬが抜けたことの判定は、ＩＥＥＥ１３９４ケーブルＬの端子がデジタル入出力端子ａ，ｂから抜けると、デジタル入出力端子ａ，ｂの図示しないケーブル接続有無検出ピンの電位がハイレベルからローレベルになることにより行うことができる。
【００３１】
ＩＥＥＥ１３９４ケーブルＬが抜けていないと判定されている時は、そのままダビング記録が実行されるが（ステップＳ１２）、ＩＥＥＥ１３９４ケーブルＬが抜けたと判定された時は、システムコントローラ２２のダビング一時停止手段は、記録再生部１７の記録動作を停止させ、ダビング記録を一時停止させる（ステップＳ４）。なお、情報記録再生装置Ｂで記録動作が停止して、ダビング記録が一時停止しても、デジタルビデオカメラＡでは、再生動作が行われている。
【００３２】
このようにしてダビング記録が一時停止された時に、システムコントローラ２２の一時停止記録時間・映像音声情報格納手段は、ダビング記録が一時停止された時のタイマ２０により計時されている記録時間を一時停止記録時間としてメモリ１９に格納すると共に、一時停止された時の映像音声データを一時停止映像音声データとしてメモリ１９に格納する（ステップＳ５）。
【００３３】
この後、ユーザによりＩＥＥＥ１３９４ケーブルＬがデジタルビデオカメラＡのデジタル入出力端子ａと情報記録再生装置Ｂのデジタル入出力端子ｂとの間に接続されると、システムコントローラ２２のケーブル接続判定手段は、ＩＥＥＥ１３９４ケーブルＬが接続されたと判定する。即ち、ＩＥＥＥ１３９４ケーブルＬが再び接続されたと判定する（ステップＳ６）。ＩＥＥＥ１３９４ケーブルＬが接続されたことの判定は、ＩＥＥＥ１３９４ケーブルＬの端子がデジタル入出力端子ａ，ｂに差し込まれると、デジタル入出力端子ａ，ｂの図示しないケーブル接続有無検出ピンの電位がローレベルからハイレベルになることにより行うことができる。
【００３４】
ＩＥＥＥ１３９４ケーブルＬがデジタルビデオカメラＡのデジタル入出力端子ａと情報記録再生装置Ｂのデジタル入出力端子ｂとの間に接続されていない時は、情報記録再生装置Ｂは待機状態になるが（ステップＳ１３）、ＩＥＥＥ１３９４ケーブルＬがデジタルビデオカメラＡのデジタル入出力端子ａと情報記録再生装置Ｂのデジタル入出力端子ｂとの間に再び接続された時は、システムコントローラ２２は、デジタルビデオカメラＡに対して停止コマンドを送って再生動作を停止させ、また、タイマ２０の計時動作を停止させ、システムコントローラ２２のケーブル遮断時間算出手段は、ＩＥＥＥ１３９４ケーブルＬが接続された時点までに計時されたタイマ２０の時間を示す再接続経過時間のデータと、メモリ１９から読み出した一時停止記録時間のデータと取得し（ステップＳ７）、再接続経過時間と一時停止記録時間との差によりＩＥＥＥ１３９４ケーブルＬの遮断時間（ケーブルＬが抜かれていた時間）を算出する（ステップＳ８）。
【００３５】
この後、システムコントローラ２２の巻き戻し制御手段は、前記遮断時間に基づいてデジタルビデオカメラＡの磁気テープ９を一時停止位置まで巻き戻す動作をデジタルビデオカメラＡに対して行わせる（ステップＳ９）。即ち、巻き戻し制御手段は、巻き戻し制御信号を、送受信回路１４、ＩＥＥＥ１３９４ケーブルＬ、デジタルビデオカメラＡのインターフェイス１１、および送受信回路１０を介してシステムコントローラ１３に供給し、これにより、システムコントローラ１３は、磁気テープ駆動機構８を駆動させ、磁気テープ９を一時停止位置まで巻き戻す制御を行う。これにより、磁気テープ９は、一時停止位置まで巻き戻される。この巻き戻し動作は、例えば、２倍速や４倍速など所望の倍速で行えるように操作部２１の操作により予め設定しておけば、自動的に早く巻き戻しが完了する。
【００３６】
このようにして磁気テープ９が一時停止位置まで巻き戻された後、システムコントローラ２２は、システムコントローラ１３を介して磁気テープ記録再生部７を制御して、磁気テープ９に対して再生動作させ、再生された映像音声データのデータパターンが一時停止映像音声データのデータパターンと一致するか否かをデータパターン判定手段により判定する（ステップＳ１０）。
【００３７】
即ち、情報記録再生装置Ｂのシステムコントローラ２２は、再生制御信号を、送受信回路１４、ＩＥＥＥ１３９４ケーブルＬ、デジタルビデオカメラＡのインターフェイス１１、および送受信回路１０を介してシステムコントローラ１３に供給し、これにより、システムコントローラ１３は、磁気テープ記録再生部７を再生動作させると共に磁気テープ駆動機構８を駆動させ、磁気テープ９に記録されている映像音声データを磁気テープ記録再生部７により再生させ、この再生させた映像音声データを、送受信回路１０、インターフェイス１１、ＩＥＥＥ１３９４ケーブルＬ、および情報記録再生装置Ｂの送受信回路１４に供給する。
【００３８】
これにより、情報記録再生装置Ｂのシステムコントローラ２２のデータパターン判定手段は、送受信回路１４で受信した前記再生された映像音声データのデータパターンを入力し、この映像音声データのデータパターンと、メモリ１９から読み出した一時停止映像音声情報のデータパターンとが一致するか否かを判定し（ステップＳ１０）、両者が一致しない場合は、ダビング開始位置まで磁気テープ９を巻き戻して再生する制御を行い（ステップＳ１１）、両者が一致した場合は、ステップＳ１に戻り、システムコントローラ２２はダビング開始位置からダビング記録を開始させる。
【００３９】
なお、ステップＳ５において、メモリ１９に格納する一時停止映像音声データ（一時停止映像音声情報）は、ダビング記録が一時停止された時点から遡って所定時間（例えば２秒）分の映像音声データであり、この映像音声データが、ステップＳ１０，Ｓ１１において、磁気テープ９を巻き戻して所定時間再生して得た映像音声データの比較対象となる。ただし、磁気テープ９を一時停止した位置まで巻き戻す際に、ステップＳ８において算出されたケーブルが抜かれていた時間に従って巻き戻すが、機械的な慣性力により、所望する停止位置を若干通り過ぎて止まった場合は、例えば２秒分の映像音声データが再生されることになるので、直ぐにステップＳ１０において両データのパターンが一致すると判定されるので、ステップＳ１１における巻き戻し制御は不要になることもある。
【００４０】
以上説明したように本実施形態によれば、デジタルビデオカメラの磁気テープに記録された映像音声情報を記録媒体にダビング記録している際中にケーブルが抜けた場合でも、再びケーブルを接続し直すと、記録が中断された続きから再びダビング記録を開始することができるので、従来のように、情報記録再生装置を操作して、記録媒体には、どこまでの内容がダビング記録されているかを調べるために、再生操作あるいは早戻し操作や早送り操作などを行う必要がなくなり、使い勝手が向上する。また、記録媒体の記録領域を無駄に使用することなく、記録媒体を有効に使用することができる。また、ダビング記録の再開位置に磁気テープを巻き戻して停止しする際のテープの回転の慣性力が加わって、停止位置がずれても、再生された映像音声情報のデータパターンと一時停止映像音声情報のデータパターンとが一致するまで、ダビング開始位置を補正することができるので、正確なダビング開始位置を得ることができ、これにより、前回に引き続き行われるダビング記録による映像および音声が正確に繋がることになる。
【産業上の利用可能性】
【００４１】
本発明は、磁気テープに映像音声情報が記録可能であると共に磁気テープに記録された映像音声情報を再生可能なデジタルビデオカメラと接続可能で、磁気テープの映像音声情報をダビング記録可能なハードディスクレコーダやＤＶＤレコーダなどの情報記録再生装置のダビング記録機能に利用可能である。
【図面の簡単な説明】
【００４２】
【図１】本発明の一実施形態に係る情報記録再生装置とデジタルビデオカメラとの構成を示すブロック図である。
【図２】前記実施形態においてデジタルビデオカメラからの映像音声データを情報記録再生装置にダビング記録している際中にケーブルの接続が遮断され再びケーブルが接続された場合の処理を説明するためのフローチャートである。
【符号の説明】
【００４３】
Ａ    デジタルビデオカメラ
Ｂ    情報記録再生装置
Ｌ    ＩＥＥＥ１３９４ケーブル
１    撮像レンズ（撮像手段）
２    撮像素子（撮像手段）
４    マイク（音声入力手段）
９    磁気テープ
１８    記録媒体
１９    メモリ
２０    タイマ
２２    システムコントローラ
【図１】
2007280470.tif 000003
【図２】
2007280470.tif 000004